(57)【要約】      （修正有）【課題】上端及び底端がカップの底端及び上端にそれぞれ嵌合されることによりカップが相互に定位され、包装しやすくなるカップベースの構造を提供する。【解決手段】カップに連結されるベースの構造であり、カップ４Ａは開口部を有し、周面の底面に近接する箇所には環状溝部４１Ａが周設される。ベースの構造は連結部１を備え、上端には上部２が設けられ、底端には底部３が設けられる。上部には結合部２３が設けられ、カップの環状溝部に連結し結合され、底部は平面上に置かれる。底面には上に向けて収容室３１が凹設され、収容室には位置決め部３３が設けられ、カップの開口部４２Ｂに当接し定位される。【選択図】図４
0003210131.tif 000002
【実用新案登録請求の範囲】
【請求項１】
カップに連結されるカップベースの構造であって、前記カップは開口部を有し、且つ前記カップの周面の底面に近接する箇所には環状溝部が周設され、前記ベースの構造は、
連結部と、
前記連結部の上端に設けられる上部であって、結合部が設けられて前記カップの環状溝部に連結するように結合されるものと、
前記連結部の底端に設けられ、且つ平面上に置かれる底部であって、底面には上に向けるように第一収容室が凹設され、前記第一収容室には位置決め部が設けられて前記カップの開口部に当接されることにより定位されるものとを備えることを特徴とするカップベースの構造。
【請求項２】
前記結合部は連続する完全な環状体であることを特徴とする、請求項１に記載のカップベースの構造。
【請求項３】
前記結合部は複数のブロックを含み、各前記ブロックは間隔を空けて配列されることにより環状に形成されることを特徴とする、請求項１に記載のカップベースの構造。
【請求項４】
前記上部は環状を呈する縁部を有すると共に包囲するように第二収容室を有し、前記結合部は前記縁部の上端の内縁に設けられ、且つ前記第二収容室の中心方向に延出されてフランジ状を呈することを特徴とする、請求項２または３に記載のカップベースの構造。
【請求項５】
前記位置決め部は連続する完全な環状体であることを特徴とする、請求項１に記載のカップベースの構造。
【請求項６】
前記位置決め部は複数のブロックを含み、各前記ブロックは間隔を空けて配列されることにより環状に形成されることを特徴とする、請求項１に記載のカップベースの構造。
【請求項７】
前記底部の底面の周縁には支持部が形成され、前記支持部と前記位置決め部との間には嵌め込み空間が形成され、前記カップの開口部が前記嵌め込み空間に嵌入されると共に前記位置決め部に当接されることにより定位されることを特徴とする、請求項５または６に記載のカップベースの構造。
【考案の詳細な説明】
【技術分野】
【０００１】
本考案は、カップの構造に関し、更に詳しくは、カップのベースに関する。
【背景技術】
【０００２】
図７は従来のカップの構造である。カップ５Ａ及びベース６で構成され、前記カップ５Ａの周縁の底端に近接する箇所には環状溝部５１Ａが設けられ、前記ベース６の上端には環状フランジ６１が設置され、前記カップ５Ａの環状溝部５１Ａに前記ベース６の環状フランジ６１が嵌合されることにより、完全なカップが構成される。上述のカップの製造過程では、前記カップ５Ａ及びベース６が別々に製造され、且つ図示するように組み合わせられた状態で包装される。このため、運送中に空間を節約できるという長所を有する。詳しくは、１つのカップ５Ａが１つのベース６に結合される以外、複数のカップ５Ｂ、５Ｃの間において、カップの開口部の端縁と隣接するカップの環状溝部とを結合させることにより相互に重置される状態を形成させることで、全体が占める空間を縮減させ、保管及び運送が行いやすくなる。
【考案の概要】
【考案が解決しようとする課題】
【０００３】
しかしながら、従来のカップは、従来の構造により前記状態が構成されて包装される場合、１つの包装内に複数のカップが組み合わせられるが、ベースは１つしかなく、各前記カップとペアになる他のベースは別途包装する必要がある。また、各ベースの間を相互に定位させる構造がないため、随意包装内に入れるしかなく、その占有する空間を縮減させることができず、全体的に良好な包装の効果を得られなかった。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、カップベースの構造を提供することを目的とする。
【課題を解決するための手段】
【０００６】
上述した課題を解決し、目的を達成するために、本考案に係るカップベースの構造は、カップに連結される。前記カップは開口部を有し、且つ前記カップの周面の底面に近接する箇所には環状溝部が周設される。前記ベースの構造は、
連結部と、
前記連結部の上端に設けられる上部であって、結合部が設けられて前記カップの環状溝部に連結するように結合されるものと、
前記連結部の底端に設けられ、且つ平面上に置かれる底部であって、底面には上に向けるように第一収容室が凹設され、前記第一収容室には位置決め部が設けられて前記カップの開口部に当接されることにより定位されるものとを備えることを特徴とする。
【考案の効果】
【０００７】
本考案によれば、その上端及び底端がカップの底端及び上端にそれぞれ嵌合されることによりカップが相互に定位される効果が得られ、これにより製品が包装しやすくなる。
【図面の簡単な説明】
【０００８】
【図１】本考案の第１実施形態に係るカップベースの構造を示す外観斜視図である。
【図２】本考案の第１実施形態に係るカップベースの構造を示す外観斜視図である。
【図３】本考案の第１実施形態に係るカップベースの構造を示す断面図である。
【図４】本考案の第１実施形態とカップとの結合状態を示す概略図である。
【図５】本考案の第２実施形態に係るカップベースの構造を示す外観斜視図である。
【図６】本考案の第２実施形態に係るカップベースの構造を示す外観斜視図である。
【図７】従来の構造とカップとの結合状態を示す概略図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００１０】
（第１実施形態）
まず、第１実施形態を図１〜４に基づいて説明する。図１乃至図３は本考案に係るカップベースの構造を図示し、これはカップ（図示せず）に連結される。前記カップは開口部を有し、且つ前記カップの周面の底面に近接する箇所には環状溝部が周設される。前記ベースの構造は、使用者が手に持つための細長い形状の連結部１を含み、前記連結部１の上端には上部２が設けられ、且つ底端には底部３が設けられる。
【００１１】
また、図１及び図３に示すように、前記上部２は環状を呈する縁部２１を有し、前記縁部２１は第二収容室２２を包囲させ、且つ前記縁部２１の上端の内縁には結合部２３が設けられる。前記結合部２３は前記第二収容室２２の中心方向に延出するようにフランジ状に形成されてカップの環状溝部に連結するように結合される。本実施形態では、前記結合部２３は前記縁部２１の上端の内縁に沿って連続する完全な環状フランジとして形成される。
【００１２】
なお、図２及び図３に示すように、前記底部３は拡張される形状を呈し、平面上に置かれる。前記底部３の底面には上に向けるように第一収容室３１が凹設され、前記底面の周縁に平面上で支持させるための支持部３２が形成される。前記第一収容室３１には位置決め部３３が設けられ、本実施形態では、前記位置決め部３３は連続する完全な環状構造として形成される。前記位置決め部３３の外径は前記支持部３２の外径より小さく、前記第一収容室３１中の前記支持部３２と前記位置決め部３３との間に嵌め込み空間３４が形成され、カップの開口部が嵌入されると共に前記位置決め部３３に当接されることにより定位される。
【００１３】
上述の構造により、図４に示すように、カップ４Ａの底端が前記ベースの構造の上部２の第二収容室２２に嵌入されると、前記縁部２１により前記カップ４Ａの底端が支えられ、同時に前記縁部２１の結合部２３が前記カップ４Ａの環状溝部４１Ａ内に嵌入される。これにより、前記カップ４Ａが前記上部２に連結される。
【００１４】
一方、他のカップ４Ｂはその上端の開口部４２Ｂが前記ベースの構造の底部３の第一収容室３１中の嵌め込み空間３４内に嵌入され、且つ前記位置決め部３３に当接される。これにより、前記位置決め部３３と前記開口部４２Ｂとの間が相互に係止され、前記カップ４Ｂ及び前記底部３が相互に定位される。
【００１５】
総合すると、本考案のベースの構造は、前記上部２及び前記底部３がカップ４Ａ、４Ｂの底端及び開口部にそれぞれ結合され、堅固に定位される連結構造が形成される。これにより、製品が製造された後の包装及び運送が行いやすくなり、且つその連結方式によりベースの構造及びカップが確実に対になり、全体的に良好な占有空間の縮減効果が達成される。
【００１６】
（第２実施形態）
次は、第２実施形態を図５及び図６に基づいて説明する。本実施形態は前述の第１実施形態を基礎とし、前記結合部及び前記位置決め部に変化が加えられる。本実施形態において、前記結合部は複数のブロック２３１を含み、各前記ブロック２３１は前記縁部２１の上端の内縁に沿って間隔を空けて配列されて環状に形成される。一方、前記位置決め部は複数のブロック３３１を含み、各前記ブロック３３１は前記第一収容室３１内に間隔を空けて配列されて環状に形成される。このような構造により、本実施形態は前記結合部の各前記ブロック２３１がカップの環状溝部に嵌入されることにより連結効果が得られる。また、前記位置決め部の各前記ブロック３３１及びカップの開口部が相互に係止されることにより定位効果が得られる。こうして、前述の第１実施形態と同様の効果が達成される。
【００１７】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求に含まれるものと解釈すべきである。
【符号の説明】
【００１８】
１  連結部
２  上部
２１  縁部
２２  第二収容室
２３  結合部
２３１  ブロック
３  底部
３１  第一収容室
３２  支持部
３３  位置決め部
３３１  ブロック
３４  嵌め込み空間
４Ａ  カップ
４Ｂ  カップ
４１Ａ  環状溝部
４２Ｂ  開口部
５Ａ  カップ
５Ｂ  カップ
５Ｃ  カップ
５１Ａ  環状溝部
６  ベース
６１  環状フランジ
【図１】
0003210131.tif 000003
【図２】
0003210131.tif 000004
【図３】
0003210131.tif 000005
【図４】
0003210131.tif 000006
【図５】
0003210131.tif 000007
【図６】
0003210131.tif 000008
【図７】
0003210131.tif 000009